(57)【要約】【課題】切削後の鉛筆の芯の太さを、任意の太さに適宜に調整できるようにする。【解決手段】ケース外部に露呈した操作部１９ａと、ケース内部において軸体９ｇの後端と従動パーツ１８との間に位置されると共に前後動可能に操作部１９ａに支持された介在部分１９ｇとを備え、操作部１９ａのスライド操作に伴って介在部分１９ｇをスライド移動させるスライドパーツ１９とを備えている。前後動パーツ１２の後端側には、従動パーツ１８の後退移動時にのみこの従動パーツ１８に引っかかる引っかかり部１２ｋが形成されていると共に、スライドパーツ１９の介在部分１９ｇの前後方向の肉厚が、この介在部分１９ｇのスライド移動方向ｘにおいて一方側から他方側に向かうに連れて薄くなるように構成されている。【選択図】図１
2007069499.tif 000002
【特許請求の範囲】
【請求項１】
ケース内部に、ケース前部に設けた鉛筆挿入口から差し込まれた鉛筆を受け入れると共に受け入れられた鉛筆に切削を施すケース背部に向かうに連れて暫時狭まる切削空間を、回転刃の周面との間に形成させるように、この回転刃を回転可能に保持し、かつ、モータによって回転駆動されるカッターホルダーを有する電動鉛筆削りであって、
ケース前部に向けられた前端と、ケース背部に向けられた後端とを有すると共に、鉛筆挿入口への鉛筆の挿入をトリガとして基準位置からケース前部に向けて移動されてモータの駆動回路を閉成する前後動パーツと、
切削空間における切削によって鉛筆の先を次第に細められてこの切削空間のより奥に向けて徐々に進入される鉛筆の先に押されてケース背部側に移動されるようにカッタホルダーに組み合わされた軸体と、
軸体の後端よりも後方にあって、基準位置から後退位置に向けて移動可能に備えられた従動パーツと、
ケース外部に露呈した操作部と、ケース内部において軸体の後端と従動パーツとの間に位置されると共に前後動可能に操作部に支持された介在部分とを備え、操作部のスライド操作に伴って介在部分をスライド移動させるスライドパーツとを備えており、
前後動パーツの後端側には、従動パーツの後退移動時にのみこの従動パーツに引っかかる引っかかり部が形成されていると共に、
スライドパーツの介在部分の前後方向の肉厚が、この介在部分のスライド移動方向において一方側から他方側に向かうに連れて薄くなるように構成されていることを特徴とする電動鉛筆削り。
【請求項２】
スライドパーツの介在部分の前面が、この介在部分のスライド移動方向において一方側を階上とし他方側を階下とする階段状に構成されていることを特徴とする請求項１記載の電動鉛筆削り。
【請求項３】
ケースが、スライドパーツの操作部の支持部と、この支持部の側方にあって支持部との間に内外方向に開いた操作部の入れ込み隙間を形成させる弾性片部とを有していると共に、
スライドパーツが、入れ込み隙間を通じて支持部の表面上に入れ込み可能な肉厚のベースプレートを有しており、このベースプレートの表面に操作部が突起状をなすように形成されていることを特徴とする請求項１又は請求項２記載の電動鉛筆削り。
【請求項４】
スライドパーツがベースプレートの裏面との間に支持部を入れ込み可能な間隔を開けて表面を配する弾性変形可能な補助プレートを有していると共に、
支持部の裏面に、スライドパーツのスライド移動方向において、隣り合う被掛合部との間に間隔を開けて複数の被掛合部が形成されており、
補助プレートの表面にスライドパーツの各移動後の位置おいてこの複数の被掛合部のいずれか一つに補助プレートの弾発によって掛合される掛合部が形成されていることを特徴とする請求項３記載の電動鉛筆削り。
【発明の詳細な説明】
【技術分野】
【０００１】
この発明は、電動鉛筆削りの改良に関する。
【背景技術】
【０００２】
ケース前部に向けられた前端と、ケース背部に向けられた後端とを有すると共に、鉛筆挿入口への鉛筆の挿入をトリガとして基準位置からケース前部に向けて移動されてモータの駆動回路を閉成する前後動パーツを備えた鉛筆削りとして、本出願人の開示にかかる特許文献１に記載のものがある。
【０００３】
しかるに、かかる鉛筆削りは、切削後の鉛筆の芯の太さを、任意の太さに適宜に調整する機能を有していなかった。
【特許文献１】特開２００５−１１１７７６号公報
【発明の開示】
【発明が解決しようとする課題】
【０００４】
この発明が解決しようとする主たる問題点は、この種の鉛筆削りにおいて、切削後の鉛筆の芯の太さを、任意の太さに適宜に調整できるようにする点にある。
【課題を解決するための手段】
【０００５】
前記課題を解決するために、この発明にあっては、電動鉛筆削りが以下の（１）〜（７）の構成を備えたものとした。
（１）ケース内部に、ケース前部に設けた鉛筆挿入口から差し込まれた鉛筆を受け入れると共に受け入れられた鉛筆に切削を施すケース背部に向かうに連れて暫時狭まる切削空間を、回転刃の周面との間に形成させるように、この回転刃を回転可能に保持し、かつ、モータによって回転駆動されるカッターホルダーを有する電動鉛筆削りであって、
（２）ケース前部に向けられた前端と、ケース背部に向けられた後端とを有すると共に、鉛筆挿入口への鉛筆の挿入をトリガとして基準位置からケース前部に向けて移動されてモータの駆動回路を閉成する前後動パーツと、
（３）切削空間における切削によって鉛筆の先を次第に細められてこの切削空間のより奥に向けて徐々に進入される鉛筆の先に押されてケース背部側に移動されるようにカッタホルダーに組み合わされた軸体と、
（４）軸体の後端よりも後方にあって、基準位置から後退位置に向けて移動可能に備えられた従動パーツと、
（５）ケース外部に露呈した操作部と、ケース内部において軸体の後端と従動パーツとの間に位置されると共に前後動可能に操作部に支持された介在部分とを備え、操作部のスライド操作に伴って介在部分をスライド移動させるスライドパーツとを備えており、
（６）前後動パーツの後端側には、従動パーツの後退移動時にのみこの従動パーツに引っかかる引っかかり部が形成されていると共に、
（７）スライドパーツの介在部分の前後方向の肉厚が、この介在部分のスライド移動方向において一方側から他方側に向かうに連れて薄くなるように構成されている。
【０００６】
従動パーツは、ケース背部側への軸体の突き出しにより、スライドパーツの介在部分を介して、後退位置に移動され、従動パーツが後退位置に移動されるとモータの駆動回路を閉成させた前進位置にある前後動パーツは基準位置に後退移動され、鉛筆の切削が停止される。かかる介在部分は、この介在部分のスライド移動方向において一方側から他方側に向かうに連れて薄くなるように構成されていることから、介在部分の一方側（厚い側）が軸体の後端の後方に位置されているときには軸体の突き出し量が小さくても従動パーツは後退位置に移動され、一方、介在部分の他方側（薄い側）が軸体の後端の後方に位置されているときには軸体の突き出し量が大きくないと従動パーツは後退位置に移動されないこととなる。これにより、スライドパーツの操作部をケース外部からスライド操作することにより、軸体の後端の後方に位置される介在部分の箇所を変えて、鉛筆の切削停止が生じるときの切削空間への鉛筆の挿入量を可変して、鉛筆を所望の太さ以上に削ってしまうことがないようできる。
【０００７】
前記スライドパーツの介在部分の前面を、この介在部分のスライド移動方向において一方側を階上とし他方側を階下とする階段状に構成させておくこともある。
【０００８】
このようにした場合、介在部分の厚さは段階的に変化したものとされ、したがって、鉛筆の太さを階段状に形成された介在部分の前面の段数の範囲で段階的に調整することができる。また、軸体の後端を介在部分の各スライド移動位置においてこの介在部分に、落ち着きよく押し当てさせることができる。
【０００９】
前記ケースが、スライドパーツの操作部の支持部と、この支持部の側方にあって支持部との間に内外方向に開いた操作部の入れ込み隙間を形成させる弾性片部とを有していると共に、
スライドパーツが、入れ込み隙間を通じて支持部の表面上に入れ込み可能な肉厚のベースプレートを有しており、このベースプレートの表面に操作部を突起状をなすように形成させておくこともある。
【００１０】
このようにした場合、ケースとスライドパーツのアッセンブリーが容易となる。すなわち、入れ込み隙間を通じて支持部の表面上にベースプレートを入れ込む操作をすると、操作部に押されて弾性片部が弾性変形されて入れ込み隙間が一旦広げられる。この後、ベースプレートを入れ込みきると弾性片部の弾性復帰によって入れ込み隙間は再び狭められ、支持部の表面上からのベースプレートの抜け出しが阻止される。
【００１１】
前記スライドパーツがベースプレートの裏面との間に支持部を入れ込み可能な間隔を開けて表面を配する弾性変形可能な補助プレートを有していると共に、
支持部の裏面に、スライドパーツのスライド移動方向において、隣り合う被掛合部との間に間隔を開けて複数の被掛合部が形成されており、
補助プレートの表面にスライドパーツの各移動後の位置おいてこの複数の被掛合部のいずれか一つに補助プレートの弾発によって掛合される掛合部を形成させておくこともある。
【００１２】
このようにした場合、スライドパーツを各スライド移動位置においてそれぞれ安定的に位置づけることができ、したがって、介在部分を各スライド移動位置においてそれぞれ安定的に位置づけることができる。
【発明の効果】
【００１３】
この発明にかかる電動鉛筆削りによれば、ケース背部側への軸体の突き出しにより、スライドパーツの介在部分を介して、後退位置に移動される従動パーツによって、モータの駆動回路を閉成させた前進位置にある前後動パーツを基準位置に後退移動させて鉛筆の切削を停止させることができ、これにより、切削後の鉛筆の芯の太さを任意の太さに適宜に調整することができる。
【発明を実施するための最良の形態】
【００１４】
以下、図１ないし図２１に基づいて、この発明を実施するための最良の形態について説明する。
【００１５】
なお、ここで図１ないし図３は、この実施の形態にかかる鉛筆削りを前後方向において断面にして内部機構の要部を見えるようにしており、特に、図２は、図１の状態から鉛筆Ｐを差し込んだ状態を、図３は、図２の状態から鉛筆Ｐを削り切った状態を、それぞれ示している。
【００１６】
また、図４ないし図６は、図１ないし図３の位置よりもやや奥の位置で鉛筆削りの上部室４を断面にして示しており、特に図４は、図３の状態に対応している。図４は、軸体９ｇの後端に介在部分１９ｇはその最も厚い箇所で接しており、図６は、軸体９ｇの後端に介在部分１９ｇはその最も薄い箇所で接しており、図５は、軸体９ｇの後端に介在部分１９ｇはこれらの中間部において接しており、図４の状態において鉛筆Ｐの芯は最も太く仕上がり、図６の状態において鉛筆Ｐの芯は最も細く仕上がり、図５の状態においては両者の間の太さに仕上がる。
【００１７】
また、図７は、鉛筆削りの要部を破断してこれを上方から見て、図８は、背部蓋板２ａを内面側から見て、図９は、これを縦断面の状態としてぞれぞれ示している。
【００１８】
また、図１０および図１１は、背部蓋板２ａとスライドパーツ１９とを分離させた状態として、示しており、また、図１２〜図１９は、かかるスライドパーツ１９をそれぞれ示している。
【００１９】
また、図２０は、鉛筆削りの駆動機構を理解しやすいように、図１の右側から内部機構を見た状態として示している。
【００２０】
さらに、図２１は、前後動パーツ１２、レバーパーツ１３、上下動パーツ１４、マイクロスイッチ１１を分離した状態で斜視の状態として示している。
【００２１】
この実施の形態にかかる電動鉛筆削りは、取り外し可能な屑ケース１０を有すると共に、この屑ケース１０の取り外し時には、鉛筆挿入口３から鉛筆Ｐを差し込ませてもこの鉛筆Ｐを削るように稼働しない構造をを備えたものである。
【００２２】
かかる鉛筆削りは、ケース前部１に鉛筆挿入口３を有している。
【００２３】
また、かかる鉛筆削りは、
（１）カッターホルダー９
（２）屑ケース１０
（３）マイクロスイッチ１１
（４）前後動パーツ１２
（５）レバーパーツ１３
（６）上下動パーツ１４
を有している。
【００２４】
（カッターホルダー９）
カッターホルダー９は、ケース内部に配されると共に、ケース前部１の鉛筆挿入口３から差し込まれた鉛筆Ｐを受け入れると共に受け入れられた鉛筆Ｐに切削を施す切削空間９ａを有している。
【００２５】
この切削空間９ａは、ケース前部１からケース背部２に向かうに連れて暫時狭まるように形成されている。
【００２６】
カッターホルダー９は、回転刃９ｂを回転可能に保持しており、この回転刃９ｂの周面との間に前記切削空間９ａを形成させている。
【００２７】
そして、かかるカッターホルダー９は、ケース内部に配された図示しないモータによって回転駆動されるようになっている。
【００２８】
具体的には、図示の例にあっては、かかるカッターホルダー９は、鉛筆削りの上部室４内において、この鉛筆削りの前後方向（図１および図４における左右方向）に回転軸線を沿わせるようにして、全体として回転可能に納められている。カッターホルダー９の前端は上部室４の前壁に回転可能に支持され、カッターホルダー９の後端は上部室４の後壁に回転可能に支持されている。（図４）
【００２９】
カッターホルダー９は前後端間に、一対の、回転刃９ｂの支持部９ｃ、９ｃを有しており、ウォーム状をなす回転刃９ｂの一端をこの一対の支持部９ｃ、９ｃの一方に回転可能に支持し、この回転刃９ｂの他端をこの一対の支持部９ｃ、９ｃの他方に回転可能に支持するようにしている。また、カッターホルダー９の一対の支持部９ｃ、９ｃ間には、前記鉛筆挿入口３から差し込まれる鉛筆Ｐの軸中心を通る仮想の水平線に対して、鉛筆Ｐの入れ込み先側に向かうに連れて次第に近づく向きに傾斜した傾斜面部９ｄが形成されている。それと共に、回転刃９ｂも、その回転軸線を、前記鉛筆挿入口３から差し込まれる鉛筆Ｐの軸中心を通る仮想の水平線に対して鉛筆Ｐの入れ込み先側に向かうに連れて次第に近づく向きに傾斜されている。そして、これにより、回転刃９ｂの周面とカッターホルダー９の傾斜面部９ｄとの間に、前記のようにケース背部２に向かうに連れて暫時狭まる切削空間９ａが形成されるようになっている。
【００３０】
カッターホルダー９の前端には、鉛筆挿入口３から差し込まれた鉛筆Ｐを切削空間９ａ内に導く導入穴９ｅが形成されている。また、回転刃９ｂの後端側には、上部室４の後壁に形成された周回ラック４ａにかみ合うピニオン部９ｆが形成されており、カッターホルダー９が回転されるとこの回転に伴ってカッターホルダー９内において回転刃９ｂが回転されるようになっている。鉛筆挿入口３と導入穴９ｅを通じて切削空間９ａ内に入れ込まれた鉛筆Ｐの一端は、このように回転されるカッターホルダー９内の回転刃９ｂによって、円錐に次第に近づくように切削されると共に、切削が進めば進むほど切削空間９ａの内奥側に入り込み、鉛筆Ｐの一端は暫時細められる。
【００３１】
図示の例にあっては、上部室４の側方にモータ（図示は省略する。）が配されていると共に、上部室４の後壁の外方に突き出されたカッターホルダー９の後端に最終ギア１５が設けられており、ケース背部２側において、モータの駆動軸に設けられた駆動ギア１６とかみ合う中間ギア１７をこの最終ギア１５にかみ合わせて、このモータの駆動によってカッターホルダー９が回転されるようにしてある。
【００３２】
また、図示の例にあっては、カッターホルダー９に、切削空間９ａにおける切削によって鉛筆Ｐの先を次第に細められてこの切削空間９ａのより奥に向けて徐々に進入される鉛筆Ｐの先に押されてケース背部２側に突き出す軸体９ｇが備えられている。
【００３３】
具体的には、図示の例にあっては、カッターホルダー９内に、前記切削空間９ａの内奥側に続いて駒体９ｈのスライド空間９ｉが形成されていると共に、カッターホルダー９の後端部分内に形成されたカッターホルダー９の回転軸線に沿った動作穴９ｊ内に、このスライド空間９ｉ内においてケース背部２側に駒体９ｈが移動された際にこの駒体９ｈに押圧されてカッターホルダー９の後端から突き出す軸体９ｇが納められている。
【００３４】
（屑ケース１０）
屑ケース１０は、電動鉛筆削りのケース前部１から、切削空間９ａから生じる鉛筆Ｐの削り屑を受けてため込む位置までケース内部に取り外し可能に装填されるように構成されている。
【００３５】
具体的には、図示の例にあっては、前記カッターホルダー９の納められている上部室４の下方に下部室５が形成されていると共に、この上部室４は下方に解放されており、この開放箇所において下部室５に連通している。下部室５は、ケース前部１において解放されており、この下部室５の開放箇所５ａからこの下部室５内に屑ケース１０を入れ込み装填し、また、抜き出せるようになっている。
【００３６】
屑ケース１０は、上面を解放させた箱状をなしており、この解放された上面を上にして、ケース前部１から装填される。そして、このように装填される屑ケース１０内に、上部室４から生じる、つまり、前記切削空間９ａにおける鉛筆Ｐの前記切削によって生じる鉛筆Ｐの削り屑が落下してため込まれるようになっている。
【００３７】
（マイクロスイッチ１１）
マイクロスイッチ１１は、前記モータの駆動回路中に設けられており、電動鉛筆削りのケース内部に配されている。
【００３８】
かかるマイクロスイッチ１１は、押しボタン１１ａの押し込みによってこの駆動回路を閉成すると共に、ケース背部２に向けてこの押しボタン１１ａを突き出させるように配されている。
【００３９】
具体的には、かかるマイクロスイッチ１１は、押しボタン１１ａを内部に組み込まれたバネなどの付勢手段によって常時外方に突き出させる向きに付勢させた状態で備えている。そして、この付勢に抗した押しボタン１１ａの押し込みがなされると前記駆動回路を閉成させ、この押し込みがなされていない状態では前記駆動回路を開成させるように構成されている。
【００４０】
図示の例にあっては、かかるマイクロスイッチ１１は、上部室４の外壁部であって、モータの組み込み側に向けられた側と反対の側にあるこの上部室４の側部の外壁部に取り付けられている。
【００４１】
図示の例にあっては、略Ｌ字状をなすマイクロスイッチ１１の支持部材１１ｂの一方腕をケース背部２側に向けさせ、かつ、他方腕を上下方向に配させた状態で、この支持部材１１ｂの隅部を上部室４にねじ止めさせていると共に、この支持部材１１ｂの他方腕にマイクロスイッチ１１が備え付けられている。
【００４２】
（前後動パーツ１２）
前後動パーツ１２は、電動鉛筆削りの前後方向に移動可能な状態で、ケース内部に配されている。そして、かかる前後動パーツ１２は、鉛筆挿入口３への鉛筆Ｐ の挿入をトリガ（契機）として基準位置（図１の位置）からケース前部１に向けて移動されてモータの駆動回路を閉成するようになっている。
【００４３】
かかる前後動パーツ１２は、
（１）ケース前部１に向けられた前端と、
（２）ケース背部２に向けられた後端と、
（３）この前端と後端との間にあって、前後動パーツ１２のケース前部１に向けた移動によって前記マイクロスイッチ１１の押しボタン１１ａを押し込むこの押しボタン１１ａへの突き当たり部１２ａと、
（４）後述するレバーパーツ１３のレバー端１３ｂとの接続部１２ｂと、
（５）後述する上下動パーツ１４におけるケース背部２に向けられた縁部１４ｂの側方に位置されると共に、ケース前部１に向けて突き出す突所１２ｃと、
（６）この接続部１２ｂと突所１２ｃの形成部分とを一体に接合させ合わせる樹脂バネ部分１２ｄとを有している。
【００４４】
具体的には、図示の例にあっては、かかる前後動パーツ１２は、電動鉛筆削りの前後方向に長い長穴１２ｆを貫通状態に備えた中間部１２ｅを有しており、この中間部１２ｅの長穴１２ｆに前記マイクロスイッチ１１の支持部材１１ｂをねじ止めするネジ７がねじ込まれるネジ穴を備えたボス部６を入れ込ませるようにして、前記上部室４の外壁部に備え付けられている。そして、この中間部１２ｅに、この中間部１２ｅに下端を一体に接合させて上方に延びる前記突き当たり部１２ａを備えている。前後動パーツ１２は、その突き当たり部１２ａの先端部をマイクロスイッチ１１の押しボタン１１ａに対し、前後動パーツ１２のケース背部２側から常時接しさせているように位置づけられている。すなわち、図示の例にあっては、かかるマイクロスイッチ１１の押しボタン１１ａの移動ストロークの範囲内で、前後動パーツ１２が前後動されるようになっている。
【００４５】
この中間部１２ｅの後端には、前端をこの後端に一体に接続させてケース背部２に向けて延びる棒状部１２ｇが形成されている。この棒状部１２ｇの末端には円板状の頭部１２ｈが形成されていると共に、前後動パーツ１２における上部室４の外壁部に向けられた側と反対の側には、棒状部１２ｇの途中から始まりこの棒状部１２ｇと中間部１２ｅとの連接箇所から中間部１２ｅにやや入り込んだ位置まで続くように延設されたリブ１２ｉが形成されており、このリブ１２ｉが前記突所１２ｃとして機能するようになっている。
【００４６】
また、中間部１２ｅの前端には、上方湾曲箇所と下方湾曲箇所とを交互に備えるように波形に屈曲された帯状体１２ｊの後端が一体に接続されており、かかる帯状体１２ｊは、隣り合う屈曲箇所間を広げさせて弾性的に延びることができるように構成されている。すなわち、図示の例にあっては、この帯状体１２ｊが前記樹脂バネ部分１２ｄとして機能するようになっている。そして、図示の例では、この帯状体１２ｊの前端が、前記レバーパーツ１３のレバー端１３ｂとの接続部１２ｂとなるようにしてある。この帯状体１２ｊはマイクロスイッチ１１の押しボタン１１ａをその付勢に抗して押し込む力よりも小さい力で弾性変形するように構成されている。前後動パーツ１２は、これらの各部を一体に有するようにして、典型的にはプラスチックの射出成形によって形成される。
【００４７】
（レバーパーツ１３）
レバーパーツ１３は、鉛筆挿入口３への鉛筆Ｐの挿入に伴ってこの鉛筆Ｐに接触して押し込まれる接触部１３ａと、この接触部１３ａの押し込みによってケース前部１に向けて回動されるレバー端１３ｂとを備えている。
【００４８】
具体的には、図示の例にあっては、かかるレバーパーツ１３は、電動鉛筆削りの左右方向に軸線を沿わせた主軸部分１３ｃと、この主軸部分１３ｃの一端部に一体に接続されたレバーアーム１３ｅとを有している。このレバーアーム１３ｅの端部に電動鉛筆削りの左右方向に軸線を沿わせた延長軸部分１３ｄの一端が一体に接続されており、この延長軸部分１３ｄが前記レバー端１３ｂとして機能するようになっている。
【００４９】
前記主軸部分１３ｃは、鉛筆挿入口３の下方において、上部室４の前壁部に回動可能に支持されていると共に、鉛筆挿入口３の下部に形成された割欠部３ａを通じてこの鉛筆挿入口３内に入り込む突部状をなす接触部１３ａを有している。
【００５０】
この接触部１３ａが鉛筆挿入口３内に入り込んだ状態において、レバーアーム１３ｅは、主軸部分１３ｃの軸線を通る仮想の鉛直線よりも、このレバーアーム１３ｅの端部、つまり、レバー端１３ｂををケース背部２側に位置させるようになっている。（図１／以下、このレバーパーツ１３の位置をレバーパーツ１３の基準位置という。）
【００５１】
一方、前記接触部１３ａが鉛筆挿入口３への鉛筆Ｐの差し込みによって下方に押し込まれた状態においては、レバーアーム１３ｅは、主軸部分１３ｃの軸線を通る仮想の鉛直線よりも、このレバーアーム１３ｅの端部（レバー端１３ｂ）をケース前部１側に位置させるようになっている。（図２／以下、このレバーパーツ１３の位置をレバーパーツ１３の動作位置という。）
【００５２】
前記前後動パーツ１２の樹脂バネ部分１２ｄの前端、つまり、前記接続部１２ｂは、レバーパーツ１３の延長軸部分１３ｄを前方から抱え持つような形に成形されており、それと共に、レバーパーツ１３の基準位置においては、前後動パーツ１２の樹脂バネ部分１２ｄは積極的な弾性変形をしないようになっている。
【００５３】
（上下動パーツ１４）
上下動パーツ１４は、樹脂バネ部分１４ａを有すると共に、ケース内部への屑ケース１０の装填に伴って、この樹脂バネ部分１４ａを弾性変形させながら、上方に向けて押し込まれるように構成されている。
【００５４】
また、この上下動パーツ１４におけるケース背部２に向けられた縁部１４ｂには、ケース前部１に向けて窪んだ凹所１４ｃが形成されており、屑ケース１０の装填に伴う上下動パーツ１４の上方への押し込みによって、上下動パーツ１４の凹所１４ｃに前後動パーツ１２の突所１２ｃが進入可能となるようになっている。
【００５５】
具体的には、図示の例にあっては、上下動パーツ１４は、前記ボス部６に前端側を軸支されて前後方向に延びる基部１４ｄを有しており、このボス部６を中心に後端側を上下方向に移動可能に構成されている。また、上下動パーツ１４は、前後動パーツ１２と支持部材１１ｂとの間に挟み込まれるように位置づけられている。
【００５６】
また、この基部１４ｄにおけるケース背部２に向けられた縁部１４ｂ、つまり、後端縁に、前記凹所１４ｃを有している。この基部１４ｄの縁部１４ｂのうち凹所１４ｃよりも上方に位置される縁部１４ｂは、前後動パーツ１２の突き当たり部１２ａがマイクロスイッチ１１の押しボタン１１ａを押し込まない前後動パーツ１２の基準位置において、この前後動パーツ１２の突所１２ｃに前方から接するようになっている。
【００５７】
上下動パーツ１４の基部１４ｄの後端側上部には、前方湾曲箇所と後方湾曲箇所とを交互に備えるように波形に屈曲された帯状体１４ｅの下端が一体に接続されており、かかる帯状体１４ｅは、隣り合う屈曲箇所間を狭めるように弾性的に縮むことができるように構成されている。すなわち、図示の例にあっては、この帯状体１４ｅが前記樹脂バネ部分１４ａとして機能するようになっている。この帯状体１４ｅの上端は上部室４の側方に形成されたストッパー片４ｂに下方から突き当てられており、この帯状体１４ｅを弾性的に縮み込ませながら上下動パーツ１４はその後端側を上方に向けて移動させるようになっている。
【００５８】
上下動パーツ１４の基部１４ｄの後端側下部には、下部室５内に入り込むように下方に向けて突き出す突出部１４ｆが形成されている。この突出部１４ｆは、ケース前部１に向けられた側の縁部を、基部１４ｄとの接続側から突出部１４ｆの突き出し端に向かうに連れて次第にケース背部２側に近づける向きに傾斜させたカム縁部１４ｇとしている。
【００５９】
そして、図示の例にあっては、屑ケース１０を取り外した状態においては、上下動パーツ１４は上方に向けて押し込まれず、その凹所１４ｃに前後動パーツ１２の突所１２ｃを後方から入れ込ませない位置に位置づけられる。一方、屑ケース１０を装填させると、この屑ケース１０の上縁に突出部１４ｆが突き当たり、この突き当たりによって前記樹脂バネ部分１４ａを弾性変形させながら上下動パーツ１４は上方に押し込まれるようになっている。このように上下動パーツ１４が押し込まれると、この上下動パーツ１４の凹所１４ｃに前後動パーツ１２の突所１２ｃが入り込み可能となる。（図１）上下動パーツ１４は、これらの各部を一体に有するようにして、典型的にはプラスチックの射出成形によって形成される。
【００６０】
屑ケース１０を装填した状態では、上下動パーツ１４は上方に押し込まれ、この上下動パーツ１４の凹所１４ｃに前後動パーツ１２の突所１２ｃが入り込める状態となる。この状態において鉛筆挿入口３に鉛筆Ｐを差し込むとレバーパーツ１３のレバー端１３ｂはケース前部１に向けて回動され、この回動により前後動パーツ１２は、上下動パーツ１４の凹所１４ｃに突所１２ｃを入れ込ませながら前方に移動される。この前後動パーツ１２の移動によって突き当たり部１２ａがマイクロスイッチ１１の押しボタン１１ａを押し込み、カッターホルダー９を回転させるモータへの通電がなされる。（図２）
【００６１】
屑ケース１０を装填した状態において、削り終わった鉛筆Ｐを抜き出すと、前後動パーツ１２はマイクロスイッチ１１の押しボタン１１ａの付勢力によってケース背部２側に元の位置まで移動され、モータへの通電が停止されると共に、これに伴ってケース前部１側に回動されていたレバーパーツ１３のレバー端１３ｂもケース背部２側に向けて回動され、レバーパーツ１３の接触部１３ａも鉛筆Ｐの差し込み前の位置に復帰される。
【００６２】
（鉛筆Ｐの芯の太さの調整機能）
また、この実施の形態にあっては、カッターホルダー９に、切削空間９ａにおける切削によって鉛筆Ｐの先を次第に細められてこの切削空間９ａのより奥に向けて徐々に進入される鉛筆Ｐの先に押されてケース背部２側に突き出す前記軸体９ｇが備えられている。
【００６３】
また、この実施の形態にかかる鉛筆削りは、かかる軸体９ｇの後端よりも後方にあって、基準位置から後退位置に向けて移動可能に備えられた従動パーツ１８と、
ケース外部に露呈した操作部１９ａと、ケース内部において軸体９ｇの後端と従動パーツ１８との間に位置されると共に前後動可能に操作部１９ａに支持された介在部分１９ｇとを備え、操作部１９ａのスライド操作に伴って介在部分１９ｇをスライド移動させるスライドパーツ１９とを備えている。
【００６４】
それと共に、前後動パーツ１２の後端側には、従動パーツ１８の後退移動時にのみこの従動パーツ１８に引っかかる引っかかり部１２ｋが形成されていると共に、
スライドパーツ１９の介在部分１９ｇの前後方向の肉厚が、この介在部分１９ｇのスライド移動方向ｘにおいて一方側から他方側に向かうに連れて薄くなるように構成されている。
【００６５】
従動パーツ１８は、ケース背部２側への軸体９ｇの突き出しにより、スライドパーツ１９の介在部分１９ｇを介して、後退位置（図３の位置）に移動され、従動パーツ１８が後退位置に移動されるとモータの駆動回路を閉成させた前進位置（図２の位置）にある前後動パーツ１２は樹脂バネ部分１２ｄを弾性変形させながら基準位置に後退移動され、鉛筆Ｐの切削が停止される。かかる介在部分１９ｇは、この介在部分１９ｇのスライド移動方向ｘにおいて一方側から他方側に向かうに連れて薄くなるように構成されていることから、介在部分１９ｇの一方側（厚い側）が軸体９ｇの後端の後方に位置されているときには軸体９ｇの突き出し量が小さくても従動パーツ１８は後退位置に移動され、一方、介在部分１９ｇの他方側（薄い側）が軸体９ｇの後端の後方に位置されているときには軸体９ｇの突き出し量が大きくないと従動パーツ１８は後退位置に移動されないこととなる。これにより、スライドパーツ１９の操作部１９ａをケース外部からスライド操作することにより、軸体９ｇの後端の後方に位置される介在部分１９ｇの箇所を変えて、鉛筆Ｐの切削停止が生じるときの切削空間への鉛筆Ｐの挿入量を可変して、鉛筆Ｐを所望の太さ以上に削ってしまうことがないようできる。
【００６６】
図示の例では、スライドパーツ１９の操作部１９ａは鉛筆削りの上部において外部に露呈され、かつ、左右方向にスライド操作できるようになっている。また、スライドパーツ１９の介在部分１９ｇは、この操作部１９ａ側から下方に延びるアームプレート１９ｉの下端に厚い側を一体に連接させてこのアームプレート１９ｉの下端から横向きに突き出すように形成されている。そして図示の例では、かかるスライドパーツ１９の介在部分１９ｇの前面が、この介在部分１９ｇのスライド移動方向ｘにおいて一方側を階上とし他方側を階下とする階段状に構成されている。この階段状前面の各段差間にある面１９ｈはいずれも前方を向いた垂直面となっている。
【００６７】
これにより図示の例では、介在部分１９ｇの厚さは段階的に変化したものとされ、したがって、鉛筆Ｐの太さを階段状に形成された介在部分１９ｇの前面の段数の範囲で段階的に調整できるようになっている。また、軸体９ｇの後端を介在部分１９ｇの各スライド移動位置においてこの介在部分１９ｇに、落ち着きよく押し当てさせることができるようになっている。
【００６８】
具体的には、図示の例にあっては、上部室４およびモータを前面側に配する背部パネル８の背面に、下端側を回動可能に組み付けさせて上端側をこの背部パネル８から離れ出す向きに移動可能とすると共に、上端隅部１８ａを前記軸体９ｇ９ｇの後端の後方に位置させた板状の従動パーツ１８が備えられている。この従動パーツ１８には、前記前後動パーツ１２の棒状部１２ｇを通し抜けさせると共に、この棒状部１２ｇの末端に設けられた前記頭部１２ｈよりも穴径を小さくした穴部１８ｂが形成されている。そして、この実施の形態にあっては、前記軸体９ｇが鉛筆Ｐの所定位置までの進入によって突き出されるとスライドパーツ１９の介在部分１９ｇを介してこの進入によって所定の位置まで突き出された軸体９ｇによって後退位置に移動され切った従動パーツ１８に前後動パーツ１２の頭部１２ｈが引っかかり前後動パーツ１２が基準位置に移動されるようになっている。すなわち、図示の例では、かかる前後動パーツ１２の頭部１２ｈが前記引っかかり部１２ｋとして機能するようになっている。
【００６９】
これにより、鉛筆Ｐの差し込みによりレバーパーツ１３のレバー端１３ｂがケース前部１側に向けて回動され、この回動により上下動パーツ１４の凹所１４ｃに突所１２ｃを入れ込ませながら前方に前後動パーツ１２が移動されて、この前後動パーツ１２の移動によって突き当たり部１２ａがマイクロスイッチ１１の押しボタン１１ａを押し込んでいるカッターホルダー９の回転駆動状態において、鉛筆Ｐが所定の位置まで進入すると、つまり、鉛筆Ｐが所定の太さに削られた場合、このように進入した鉛筆Ｐによって押され突き出される軸体９ｇと介在部分１９ｇと従動パーツ１８とを通じて樹脂バネ部分１２ｄを伸ばしながら前後動パーツ１２をケース背部２２側に向けて移動させることができ、この前後動パーツ１２の移動によって鉛筆Ｐが所定の太さに削られた場合に前後動パーツ１２の突き当たり部１２ａによるマイクロスイッチ１１の押しボタン１１ａの押し込みを解いてカッターホルダー９を回転駆動させるモータの通電を停止させることができる。（図３）かかる通電停止後に鉛筆Ｐを抜き出すと前後動パーツ１２の樹脂バネ部分１２ｄの弾性復帰により前後動パーツ１２の後端側はケース前部１側にやや移動され、この移動によって従動パーツ１８もケース前部１側にやや移動し、さらに、この従動パーツ１８の移動によって軸体９ｇも切削空間９ａ側に向けてやや押し戻される。
【００７０】
また、この実施の形態にあっては、ケースが、スライドパーツ１９の操作部１９ａの支持部２ｂと、この支持部２ｂの側方にあって支持部２ｂとの間に内外方向（図示の例では上下方向）に開いた操作部１９ａの入れ込み隙間２ｃを形成させる弾性片部２ｄとを有していると共に、
スライドパーツ１９が、入れ込み隙間２ｃを通じて支持部２ｂの表面上に入れ込み可能な肉厚のベースプレート１９ｂを有しており、このベースプレート１９ｂの表面に操作部１９ａが突起状をなすように形成されている。
【００７１】
具体的には、図示の例にあっては、ケースは、ケース背部２側を開放させたケース本体１ａと、このケース本体１ａの開放部を塞ぐようにこのケース本体１ａに組み付けられる背部蓋板２ａとから構成されている。そして、図示の例では、この背部蓋板２ａの上部であって、その左右方向略中程の位置に、左右方向に長い貫通孔２ｅが形成されている。そして、この貫通孔２ｅと背部蓋板２ａのケース本体１ａとの接合縁２ｆとの間が前記弾性片部２ｄとして機能するようになっている。また、この貫通孔２ｅにおける弾性片部２ｄ側に向き合った孔縁側の直下には、背部蓋板２ａの垂直方向にある内面から前方に向けて突き出す板部が形成されており、この板部が前記支持部２ｂとして機能するようになっている。
一方、スライドパーツ１９は、左右方向に長いベースプレート１９ｂと、このベースプレート１９ｂの左右両端においてそれぞれ連接脚部１９ｃを介してこのベースプレート１９ｂの裏面との間に支持部２ｂを入れ込み可能な間隔を開けて表面を配する弾性変形可能な補助プレート１９ｄとを有している。すなわち、スライドパーツ１９の上部には、左右方向に延び、後方に開放した溝状部１９ｅが形成され、支持部２ｂをこの溝状部１９ｅに受け入れさせることにより、スライドパーツ１９は左右方向にスライド移動可能な状態で背部蓋板２ａに組み合わされるようになっている。そして、操作部１９ａは、ベースプレート１９ｂの長さ方向略中程の位置に形成されている。この操作部１９ａは貫通孔２ｅの幅内に納まる前後寸法を有するようになっている。また、前記アームプレート１９ｉの上端は補助プレート１９ｄの一端側であってその裏面に一体に接合されており、平面視の状態において、介在部分１９ｇは、この補助プレート１９ｄの一端側から側方に延び出すように設けられている。
【００７２】
これにより、ケース、ここでは、ケースのケース背部２側を構成する背部蓋板２ａとスライドパーツ１９のアッセンブリーが容易となる。すなわち、入れ込み隙間２ｃを通じて支持部２ｂの表面上にベースプレート１９ｂを入れ込む操作をすると、操作部１９ａに押されて弾性片部２ｄが弾性変形されて入れ込み隙間２ｃが一旦広げられる。この後、ベースプレート１９ｂを入れ込みきると弾性片部２ｄの弾性復帰によって入れ込み隙間２ｃは再び狭められ、支持部２ｂの表面上からのベースプレート１９ｂの抜け出しが阻止される。
【００７３】
また、この実施の形態にあっては、かかる支持部２ｂの裏面に、スライドパーツ１９のスライド移動方向ｘにおいて、隣り合う被掛合部２ｇとの間に間隔を開けて複数の被掛合部２ｇが形成されていると共に、
補助プレート１９ｄの表面にスライドパーツ１９の各移動後の位置おいてこの複数の被掛合部２ｇのいずれか一つに補助プレート１９ｄの弾発によって掛合される掛合部１９ｆが形成されている。
【００７４】
具体的には、図示の例にあっては、支持部２ｂの裏面に、この支持部２ｂの幅方向に亘る溝が支持部２ｂの長さ方向において隣り合う溝との間に略等しい間隔を開けて複数設けられていると共に、補助プレート１９ｄの表面であってその長さ方向略中程の位置に、かかる溝に納まる大きさの突起が形成されている。そして、図示の例では、操作部１９ａに外部から指の腹などを押し付けた状態からこの操作部１９ａを貫通孔２ｅの長さ方向に沿う向きに押圧すると複数の溝の一つに納まっていた突起が補助プレート１９ｄを弾性変形させながら抜け出して操作部１９ａの、つまり、スライドパーツ１９のスライド移動がなされると共に、このスライド移動を止めるとこの移動を止めた位置において補助プレート１９ｄの弾性復帰によって別の溝に突起が入り込むようになっている。すなわち、図示の例にあっては、前記溝が被掛合部２ｇとして、前記突起が掛合部１９ｆとして、機能するようになっている。
【００７５】
これにより、この実施の形態にあっては、スライドパーツ１９を各スライド移動位置においてそれぞれ安定的に位置づけることができ、したがって、介在部分１９ｇを各スライド移動位置においてそれぞれ安定的に位置づけることができる。
【図面の簡単な説明】
【００７６】
【図１】鉛筆削りの側断面構成図
【図２】鉛筆削りの側断面構成図
【図３】鉛筆削りの側断面構成図
【図４】鉛筆削りの要部断面構成図
【図５】鉛筆削りの要部断面構成図
【図６】鉛筆削りの要部断面構成図
【図７】鉛筆削りの要部断面平面構成図
【図８】背部蓋板２ａの正面構成図
【図９】背部蓋板２ａの断面構成図
【図１０】背部蓋板２ａとスライドパーツ１９を分離させた状態の平面図
【図１１】背部蓋板２ａとスライドパーツ１９を分離させた状態の断面図
【図１２】スライドパーツ１９の正面図
【図１３】同平面図
【図１４】同背面図
【図１５】同右側面図
【図１６】図１２におけるＡ−Ａ線断面図
【図１７】図１２におけるＢ−Ｂ線断面図
【図１８】スライドパーツ１９の斜視図
【図１９】スライドパーツ１９の斜視図
【図２０】鉛筆削りの内部機構の要部背面図
【図２１】要部部品の分離斜視構成図
【符号の説明】
【００７７】
１  ケース前部
２  ケース背部
３  鉛筆挿入口
９  カッターホルダー
９ａ  切削空間
９ｂ  回転刃
１０  屑ケース
１２  前後動パーツ
１２ｋ  引っかかり部
９ｇ  軸体
１８  従動パーツ
１９  スライドパーツ
１９ａ  操作部
１９ｇ  介在部分
ｘ  スライド移動方向
【図１】
2007069499.tif 000003
【図２】
2007069499.tif 000004
【図３】
2007069499.tif 000005
【図４】
2007069499.tif 000006
【図５】
2007069499.tif 000007
【図６】
2007069499.tif 000008
【図７】
2007069499.tif 000009
【図８】
2007069499.tif 000010
【図９】
2007069499.tif 000011
【図１０】
2007069499.tif 000012
【図１１】
2007069499.tif 000013
【図１２】
2007069499.tif 000014
【図１３】
2007069499.tif 000015
【図１４】
2007069499.tif 000016
【図１５】
2007069499.tif 000017
【図１６】
2007069499.tif 000018
【図１７】
2007069499.tif 000019
【図１８】
2007069499.tif 000020
【図１９】
2007069499.tif 000021
【図２０】
2007069499.tif 000022
【図２１】
2007069499.tif 000023